(57)【要約】【課題】容器に装着することで、容器に熱い飲料等が充填されていても把持しやすくすることのできる蓋を提供する。【解決手段】本発明の蓋１は、容器の開口部に装着する蓋であって、外周に前記容器の開口部の縁と嵌合する嵌合溝２を有する天板部３と、前記嵌合溝２の外周の少なくとも一部から延出して設けられ、前記天板部３に対して略下方に折り曲げられたときに、少なくとも前記容器の開口部側の外側面を覆うように構成された把持部４とを備えたことを特徴とする。【選択図】図１
2008155971.tif 000002
【特許請求の範囲】
【請求項１】
容器の開口部に装着する蓋であって、
外周に前記容器の開口部の縁と嵌合する嵌合部を有する天板部と、
前記嵌合部の外周の少なくとも一部から延出して設けられ、前記天板部に対して下方に折り曲げられたときに、少なくとも前記容器の開口部側の外側面を覆うように構成された把持部と、
を備えたことを特徴とする蓋。
【請求項２】
前記把持部は、前記天板部に対して下方に凸となるように設けられ、上方に押し込まれて逆側に凸となるように反転することによって前記把持部を下向きに固定可能に構成された弾性湾曲部を有することを特徴とする請求項１に記載の蓋。
【請求項３】
前記把持部は、前記天板部に対して下方に折り曲げられる際の抵抗を軽減する折り曲げ補助部を有することを特徴とする請求項１に記載の蓋。
【請求項４】
前記把持部は、前記嵌合部に係止して前記把持部を前記天板部に対して下向きに係止固定する係止部を有することを特徴とする請求項１に記載の蓋。
【請求項５】
前記把持部には凹凸部が設けられていることを特徴とする請求項１から４のいずれか１項に記載の蓋。
【請求項６】
前記天板部には飲み口が設けられていることを特徴とする請求項１から５のいずれか１項に記載の蓋。
【発明の詳細な説明】
【技術分野】
【０００１】
本発明は、飲料等の容器の開口部に装着する蓋に関する。
【背景技術】
【０００２】
従来、紙コップ等の容器に熱い飲料や食品等を入れて飲食用に供する際には、そのままでは熱くて把持することが困難であるため、容器の表面に発泡層を設けて容器の側面に断熱性を付与することによって、熱い飲料等が入っていても把持しやすく構成されたものが提案されている（例えば、特許文献１参照）。
また、カップ麺やスープ、味噌汁などの、熱湯を注いで調理して食する食品用の容器として、カップ状容器を二重構造として断熱空間を持たせたものが広く採用されている（例えば、特許文献２参照。）。
【特許文献１】特許第３０１４６２９号公報
【特許文献２】実用新案登録第２５７１７９７号公報
【発明の開示】
【発明が解決しようとする課題】
【０００３】
しかしながら、上記特許文献１に開示された技術では、断熱効果が充分ではない。特に、８０℃以上の飲料等が入っている場合、特許文献１の容器でも熱くて把持することは困難である。このような場合、ある程度飲料等の温度が下がるまで、飲食ができず、飲料等の風味を充分楽しめない場合がある。
また、上記特許文献２に記載された容器は、比較的高い断熱性を有するものの、構造が複雑で高価であるという欠点がある。
【０００４】
本発明は上記事情に鑑みて成されたものであり、装着することで、容器に熱い飲料等が充填されていても把持しやすくすることのできる蓋を提供することを目的とする。
【課題を解決するための手段】
【０００５】
本発明の蓋は、容器の開口部に装着する蓋であって、外周に前記容器の開口部の縁と嵌合する嵌合部を有する天板部と、前記嵌合部の外周の少なくとも一部から延出して設けられ、前記天板部に対して下方に折り曲げられたときに、少なくとも前記容器の開口部側の外側面を覆うように構成された把持部とを備えたことを特徴とする。
【０００６】
本発明の蓋を容器に装着した際には、把持部を前記天板部に対して下方に折り曲げることによって、把持部の上から容器を把持することができるため、容器に熱い飲料等が充填されていても、その熱が把持する手に伝導しにくい。
【０００７】
前記把持部は、前記天板部に対して下方に凸となるように設けられ、上方に押し込まれて逆側に凸となるように反転することによって前記把持部を下向きに固定可能に構成された弾性湾曲部を有するものでもよい。
【０００８】
前記把持部は、前記天板部に対して下方に折り曲げられる際の抵抗を軽減する折り曲げ補助部を有するものでもよい。
【０００９】
前記把持部は、前記嵌合部に係止して前記把持部を前記天板部に対して下向きに係止固定する係止部を有するものでもよい。
【００１０】
前記把持部には凹凸部が設けられていてもよい。また、前記天板部には飲み口が設けられていてもよい。
【発明の効果】
【００１１】
本発明の蓋によれば、容器に充填された飲料等の熱が把持部を把持する手に伝導しにくいので、熱い飲料等が容器に充填されていても、容器に装着することによって把持しやすくすることができる。
【発明を実施するための最良の形態】
【００１２】
以下、本発明の第１実施形態の蓋について、図１から図４を参照して説明する。
図１は本実施形態の蓋１の平面図である。本実施形態の蓋１は、紙コップ等の容器の開口部に装着する蓋であって、外周に容器の開口部の縁と嵌合する嵌合溝（嵌合部）２を有する天板部３と、嵌合溝２の側壁から延出する舌片（把持部）４とを備えて形成されている。蓋１はポリスチレン、ポリプロピレン、ポリ塩化ビニル等の熱可塑性樹脂又はこれらの樹脂にフィラーを追加したものを、真空成形、圧空成形、真空圧空成形、あるいは射出成形等の公知の成形方法で加工することにより得ることができる。
【００１３】
天板部３は、天板上面５と、天板上面５の外周から下方に延出する天板側面６とを有して形成されている。天板上面５は容器の開口部を覆い、外周部７に比して中央部８が一段低く形成されている。中央部８より相対的に突出した外周部７の上面の一部は切り取られており、飲み口９が設けられている。天板側面６の下端には嵌合溝２が設けられている。
【００１４】
図２に断面で示すように、嵌合溝２は嵌合突起１０と嵌合側壁１１とから形成される。嵌合突起１０は、天板側面６の下端から下方にわずかに延出した側面が上方に折り返されて、平面視環状に形成される。嵌合側壁１１は、嵌合突起１０の端部が下方に折り返されて形成されている。また、嵌合側壁１１の外側面には、断続的に係合凸部１２が内側に突出して設けられている。
【００１５】
舌片４は、飲み口９付近と、天板部３におけるその対称位置との２箇所の嵌合側壁１１の下端から略水平に延出して設けられており、略水平に平坦に形成された周縁部１３と、周縁部１３に囲まれ、下方に凸の形状を有する弾性湾曲部１４とを有する。舌片４の先端は、弾性湾曲部１４の有する弾性によって水平に付勢されており、舌片４の長さは、先端が略下方に向いたときに、少なくとも容器の開口部側の外側面を覆う程度の長さに設定する。
【００１６】
弾性湾曲部１４には、天板部３の外方かつ下方に向かって凸となる円弧状の稜線１５が設けられ、稜線１５の両端は、各舌片４の基部１６の左右端付近において周縁部１３と嵌合側壁１１とが接する箇所に達している。弾性湾曲部１４は、稜線１５の内側に形成された第１側面１７と、稜線１５の外側に形成された第２側面１８とが、図２に示すように、側面視において稜線１５を頂点として下方に凸の形状をなすように形成されている。第２側面１８上には平面視長円形の凹凸部１９が、上方に突出して複数設けられている。
【００１７】
稜線１５の中点部における周縁部１３からの深さは、後述する弾性湾曲部１４の押し込み動作を容易にし、かつ反転した形状を維持させるため、弾性湾曲部１４の基部１６における幅が約２４ミリメートルのとき、３ミリメートル以上、好ましくは４ミリメートル程度になるように設定するのが好ましい。同様の理由で、第１側面１７と水平面とのなす角度は、３０度以上９０度以下、好ましくは４５度以上６０度以下となるように設定するのが好ましい。
【００１８】
上記のように構成された蓋１の動作について、以下に説明する。
図２に示すように、飲料等を充填した紙コップ（容器）２０の開口部の縁に形成されたリム２１に対して、嵌合溝２が嵌合するように上から蓋１を押し付ける。リム２１は嵌合側壁１１の側面に設けられた係合凸部１２を弾性変形させて乗り越え、さらに嵌合突起１０及び嵌合側壁１１を弾性変形させて、嵌合突起１０と嵌合側壁１１との間に嵌合する。このとき、係合凸部１２の上面にリム２１の下面が支持されて、図３に示すように頭蓋１が紙コップ２０に確実に装着される。
【００１９】
この状態において、各舌片４の稜線１５を下方から押し込むと、弾性湾曲部１４は稜線１５を頂点として反転し、紙コップ２０の側面と反対側に凸となる。このとき、第１側面１７と第２側面１８との間には、稜線１５において反転前と同じ角度をなそうとする弾性力が働く。このため、舌片４は弾性湾局部１４の押し込み動作に伴って、点線で示す略水平の状態から下方に向きを変えて固定される。
【００２０】
そして、舌片４の上から紙コップ２０を把持した状態で、天板上面５に設けられた飲み口９から紙コップ２０の内容物を摂取することができる。
【００２１】
本発明の蓋１によれば、紙コップ２０に装着して弾性湾曲部１４を反転させると、紙コップ２０の側面と略平行となるように舌片４の向きが変化する。舌片４の上から紙コップ２０を把持することで、把持すると手と紙コップ２０の側面との間に舌片４が介在するため、紙コップ２０の内容物の熱や冷気等が把持する手に伝導しにくくなり、把持しやすくすることができる。
【００２２】
また、稜線１５を押して弾性湾曲部１４を反転させるだけで、舌片４が下方に向きを変え、把持しやすい形状に変化して固定されるので、簡便な操作で蓋１を把持しやすい形状に変化させて当該形状を維持することができる。
また、弾性湾曲部１４が紙コップ２０の側面と反対側に凸の形状になるため、弾性湾曲部１４と紙コップ２０の側面との間に空間が形成されるので、紙コップ２０の内容物の熱等が把持する手に伝導しにくくなる。
【００２３】
加えて、舌片４には凹凸部１９が設けられているので、把持した際に舌片４と紙コップ２０の側面との接触面積が小さくなり、断熱効果を高めることができる。
また、紙コップ２０の開口部を覆う天板部３が、紙コップ２０から内容物がこぼれるのを防ぐため、蓋１を紙コップ２０に装着することで、開口部を覆いつつ部品点数を増やさずに把持しやすくすることができる。
【００２４】
さらに、嵌合溝２の嵌合側壁１１の側面に係合凸部１２が設けられているため、蓋１が確実に紙コップ２０に装着される。
また、天板上面５に飲み口９が設けられているため、舌片４の上から紙コップ２０を把持したままで、内容物を摂取することができる。
【００２５】
加えて、天板部３及び舌片４が一体となってほぼ平面に形成されているので、真空成形等で容易に作製することができる。また、積み重ねても場所をとらないので、輸送や保管に適している。
【００２６】
そして、容器に発泡層を形成しなくても、蓋１を装着するだけで、容器に熱い飲料等が充填されていても把持しやすくできるので、低コストで把持しやすい容器を構成することができる。
【００２７】
本実施形態においては、舌片４が２箇所に設けられている例を説明したが、本発明はこれに限定されるものではなく、舌片４は１箇所であっても、３箇所以上設けられてもよい。ただし、断熱性を向上させて把持しやすくする効果を充分に得るためには、舌片が２箇所以上設けられるのが好ましい。
【００２８】
続いて、本発明の第２実施形態について図５を参照して説明する。第２実施形態と上述の第１実施形態との異なる点は、嵌合溝と舌片との境界部に折り曲げ補助部が設けられている点である。
なお、上述の第１実施形態と同様の構成要素には同一の符号を付し、重複する説明を省略する。
【００２９】
図５（ａ）に示すように、本実施形態の蓋３１においては、各舌片３２の基部３３の左右の端部から舌片３２の幅方向中央に向かって、前記幅方向に沿ってスリット（折り曲げ補助部）３４が設けられている。スリット３４は途中で止まっているため、舌片３２と嵌合側壁１１とは完全に切断されず、基部３３の幅方向中央を含む一定の範囲で両者の接続が保持されている。なお、本実施形態の舌片３２は、上方に向かって緩やかに凸となるように形成されている。
【００３０】
本実施形態の蓋３１を装着した紙コップ２０を把持する場合は、舌片３２の上方から力を加えて、図５（ｂ）に示すように、舌片３２が紙コップ２０の側面と略平行になるように折り曲げ、舌片３２の上から把持する。このとき、舌片３２と嵌合側壁１１とがスリット３４によって部分的に離断されているため、舌片３２と嵌合側壁１１が一体成形されていることによる舌片３２の折り曲げに対する抵抗が軽減され、小さい力でスムーズに折り曲げて把持することができる。
【００３１】
把持する手を離すと、舌片３２は嵌合側壁１１との接続部位の弾性によって略水平の状態に戻るが、舌片３２の上方から軽く力を加えるだけで、再び舌片３２を容易に折り曲げて把持することができる。
【００３２】
本実施形態の蓋３１によれば、舌片３２にスリット３４が設けられているので、舌片３２を略下方に折り曲げる際の抵抗が軽減され、舌片３２の上から紙コップ２０を把持する際の舌片３２の折り曲げが補助される。従って、容易に把持することが可能で、紙コップ２０に熱い飲料等が充填されていても把持しやすくすることのできる蓋を提供することができる。
【００３３】
また、手を離すと舌片３２が略水平の状態に戻り、蓋３１としてほぼ平面の形状となるので、廃棄する際の容積が小さくなり、廃棄物を減少させることができる。
【００３４】
本実施形態においては、スリット３４が基部３３の左右端から舌片３２の幅方向中央に向かって設けられている例を説明したが、これに代えて、スリットが基部の左右端を除く領域に幅方向に沿って設けられ、基部の左右端において舌片と嵌合側壁との接続が保持されるように構成してもよい。またスリットに代えて、長方形や長円形の切り欠きを設けてもよいし、ハーフカットによって罫線を形成することによって折り曲げ補助部を設けることも可能である。
【００３５】
さらに本実施形態では舌片３２が上に凸の形状をしている例を説明したが、これに代えて、上述の第１実施形態のように舌片を下に凸の形状としたり、平面に形成したりすることも可能である。
【００３６】
続いて、本発明の第３実施形態について図６から図８を参照して説明する。第３実施形態と上述の第１実施形態の異なる点は、舌片に係止部が設けられている点である。
なお、上述の第１実施形態と同様の構成要素には同一の符号を付し、重複する説明を省略する。
【００３７】
図６は本実施形態の蓋４１の平面図である。図６に示すように、本実施形態の各舌片４２は、幅方向中央部の一定範囲のみで嵌合側壁１１と接続されており、腕部４３が基部４４の左右端から幅方向に延出して設けられている。
【００３８】
腕部４３は嵌合側壁１１とは切り離されており、端部には係止部４５が天板部３側に突出して設けられている。また、舌片４２には凹凸部４６が舌片４２の長手方向に沿って下方に突出して設けられており、それ以外の部分は平坦に形成されている。
【００３９】
上記の構成を備えた蓋４１の動作について説明する。舌片４２の上から紙コップ２０を把持するために舌片４２を下方に折り曲げる。このとき係止部４５は、図６に示すように、基部４４の幅方向中央部における嵌合側壁１１に対する接線Ｌより天板部３側に突出して設けられているので、紙コップ２０に装着後、舌片４２を下方に折り曲げると基部４４よりも上方の嵌合側壁１１に達する高さまで突出する。
【００４０】
図７に示すように、舌片４２を嵌合側壁１１に沿って湾曲させ、係止部４５を嵌合側壁１１と紙コップ２０の側面との間に差し込むと、係止部４５が嵌合溝２の嵌合側壁１１に係止され、舌片４２が下向きの状態で支持固定される。
【００４１】
本実施形態の蓋４１によれば、舌片４２が係止部４５によって下向きの状態で固定されるので、把持しやすい形状を維持することができる。
【００４２】
本実施形態においては、係止部４５が腕部４３から突出して設けられている例を説明したが、これに代えて、図８（ａ）に示す変形例のように、基部４７の左右端から舌片４８の左右の辺とそれぞれ鋭角をなすように切り込み４９を設けることによって係止部５０を設けてもよい。この場合、舌片４８を下方に折り曲げると、図８（ｂ）に示すように、係止部５０が嵌合側壁１１の外側面に係止して、舌片４８が下向きに支持固定される。
【００４３】
以上、本発明の実施形態について説明してきたが、本発明の技術範囲は上記実施の形態に限定されるものではなく、本発明の趣旨を逸脱しない範囲において種々の変更を加えることが可能である。
例えば上述の各実施形態においては、長円形の凹凸部が設けられた例を説明したが、凹凸部の形状はこれらには限定されず、他の任意の形状を採用することができる。これによって、容器に装着された際のデザイン性を高めることができる。
【００４４】
また、上述の各実施形態においては、紙コップに装着する例を説明したが、装着の対象となる容器はこれに限定されず、嵌合溝に開口部の縁が嵌合するものであれば、発泡スチロールや他の樹脂、金属等あらゆる材質の容器に装着して断熱性を向上させて把持しやすくすることが可能である。
【００４５】
また、対象となる容器は開口部が円形のものにも限定されず、対象容器の開口部と嵌合するように本発明の蓋を設計及び成形することで、あらゆる形状の開口部に装着可能に構成することができる。
【００４６】
さらに、上述の各実施形態においては、天板上面の一部が切り取られて飲み口が形成されている例を説明したが、これに代えて、スリットを設けるなどして、天板上面が大きく開き、容器の開口部とほぼ同じ大きさに開口するように蓋を形成してもよい。このようにすれば、固形の具材などを含む食品等が容器に充填されている場合でも、把持部を把持しつつ摂取することが可能である。
【図面の簡単な説明】
【００４７】
【図１】本発明の第１実施形態の蓋を示す平面図である。
【図２】同実施形態の断面図である。
【図３】同実施形態の蓋を紙コップに装着した状態を示す斜視図である。
【図４】同実施形態の弾性湾曲部を反転した状態を示す部分斜視図である。
【図５】（ａ）は本発明の第２実施形態の蓋を示す平面図、（ｂ）は同実施形態の舌片を折り曲げた状態を示す部分斜視図である。
【図６】本発明の第３実施形態の蓋を示す平面図である。
【図７】同実施形態の蓋を紙コップに装着した状態を示す斜視図である。
【図８】（ａ）は同実施形態の変形例の蓋を示す平面図、（ｂ）は同実施形態の舌片を折り曲げた状態を示す部分斜視図である。
【符号の説明】
【００４８】
１、３１、４１…蓋、２…嵌合溝（嵌合部）、３…天板部、４、３２、４２、４８…舌片（把持部）、９…飲み口、１４…弾性湾曲部、１９、４６…凹凸部、２０…紙コップ（容器）、３４…スリット（折り曲げ補助部）、４５、５０…係止部
【図１】
2008155971.tif 000003
【図２】
2008155971.tif 000004
【図３】
2008155971.tif 000005
【図４】
2008155971.tif 000006
【図５】
2008155971.tif 000007
【図６】
2008155971.tif 000008
【図７】
2008155971.tif 000009
【図８】
2008155971.tif 000010